(57)【要約】【課題】  光学装置の自重による変位を軽減することを可能にした光学装置を提供すること。【解決手段】  撮像装置に対して着脱が可能な光学装置であって、撮像装置に対して係合する形状を備えたレンズマウントと、レンズマウントの外径より光軸から離れた位置で撮像装置の面と接触する当接部と、当接部を光軸方向に押圧する押圧手段が設けられ、光学装置を撮像装置に取り付ける時には、レンズマウントを撮像装置に係合させた後、押圧手段を操作して当接部を撮像装置に向けて押しつけて固定することを特徴とする。【選択図】図３
2020118774.tif 000002
【特許請求の範囲】
【請求項１】
撮像装置に対して着脱が可能な光学装置であって、前記撮像装置に対して係合する形状を備えたレンズマウントと、該レンズマウントの外径より光軸から離れた位置で前記撮像装置と接触する当接部と、前記当接部を光軸方向に押圧する押圧手段が設けられ、前記光学装置を前記撮像装置に取り付ける時には、前記レンズマウントを前記撮像装置に係合させた後、前記押圧手段を操作して前記当接部を前記撮像装置に向けて押しつけて固定することを特徴とする光学装置。
【請求項２】
前記当接部には切り欠きが設けられ、前記切り欠きは前記レンズマウントを固定するための操作手段よりも大きな形状であることを特徴とする請求項１に記載の光学装置。
【請求項３】
前記切り欠きの大きさは、マウントの着脱に必要な操作手段の移動範囲より小さいことを特徴とする請求項１又は請求項２に記載の光学装置。
【発明の詳細な説明】
【技術分野】
【０００１】
本発明は、光学装置に関し、特にカメラに対して着脱可能な光学装置のマウント機構に関する。
【背景技術】
【０００２】
従来より、カメラに対して着脱可能な光学装置のマウント機構において、カメラと交換レンズの接続部を強化する方法が提案されている。
【０００３】
特許文献１では、カメラ側のマウントリングの外周径を広げたフランジ補強部を筐体と接合させることにより、レンズ先端が衝突した時などに生じる応力集中を抑制する構造が提案されている。
【０００４】
また、特許文献２では、交換レンズとカメラとの間に構成される防振アダプタに、レンズ下部と接続してレンズを支持する。さらに防振アダプタとカメラと一体的に構成されるレンズサポーターを接続することで、カメラに対する防振アダプタとレンズの撓みを抑制する構造が開示されている。
【先行技術文献】
【特許文献】
【０００５】
【特許文献１】特開２０１６−１３６１６６号公報
【特許文献２】特開２００３−２９５０２６号公報
【発明の概要】
【発明が解決しようとする課題】
【０００６】
しかしながら、上記の特許文献１に開示された従来技術では、カメラ側のマウント部の構造は強化できるが、レンズ側のマウント部の強化には触れられておらず、レンズ側の保護はなされない。また、特許文献２に開示された従来技術では、防振アダプタとカメラのマウント部のレンズと防振アダプタの質量による撓みを抑制するために、レンズサポーターを構成する必要があり、撮影システムとして大きく、質量も大きくなるという課題があった。
【０００７】
そこで、本発明の目的は、単純な構成で光学装置の自重による変位を軽減することが可能な光学装置を提供することにある。
【課題を解決するための手段】
【０００８】
上記の目的を達成するために、本発明に係る光学装置は、
撮像装置に対して着脱が可能な光学装置であって、撮像装置に対して係合する形状を備えたレンズマウントと、レンズマウントの外径より光軸から離れた位置で撮像装置の面と接触する当接部と、当接部を光軸方向に押圧する押圧手段が設けられ、光学装置を撮像装置に取り付ける時には、レンズマウントを撮像装置に係合させた後、押圧手段を操作して当接部を撮像装置に向けて押しつけて固定することを特徴とする。
【発明の効果】
【０００９】
本発明によれば、当接部がレンズマウントの外径より光軸から離れた位置で撮像装置と接触して光学装置を支持することにより、光学装置の自重による変位を軽減することを可能にした光学装置の提供を実現できる。
【図面の簡単な説明】
【００１０】
【図１】本発明の第１の実施例における光学装置とカメラの代表的な構成
【図２】本発明の第１の実施例における光学装置をカメラに取り付けた時の図
【図３】本発明の第１の実施例における光学装置の固定部を締め付けた時の図
【図４】本発明の第２の実施例における光学装置とカメラの代表的な構成
【図５】本発明の第２の実施例における光学装置をカメラに取り付けた時の図
【図６】本発明の第２の実施例における光学装置の固定部を締め付けた時の図
【発明を実施するための形態】
【００１１】
以下に、本発明の好ましい実施の形態を、図１〜図６に図示した実施例に基づいて詳細に説明する。
【実施例１】
【００１２】
以下、図１から図３を参照して、本発明の第１の実施例による、光学装置について説明する。
【００１３】
本実施例における光学装置とカメラの代表的な構成を図１に示す。
【００１４】
光学装置１にはレンズマウント２が設けられる。レンズマウント２には係合爪２ａが複数設けられる。さらに光学装置１にはネジ１ａと螺合して光軸方向に移動可能な押圧手段３が設けられ、押圧手段３の像面側には当接面３ａが設けられる。
【００１５】
カメラ４にはカメラマウント５が設けられる。カメラマウント５には係合爪２ａが同時に通過することが可能な切り欠き５ａが設けられる。
【００１６】
当接面３ａはレンズマウント２およびカメラマウント５の外側を覆うように形成され、カメラ４の被写体側面４ａと接触する位置関係になっている。
【００１７】
図２に、本実施例における光学装置１をカメラ２に取り付けた時の状態を示す。
【００１８】
係合爪２ａと切り欠き５ａの位相を合わせてレンズマウント２をカメラマウント５に挿入した後、光学装置１全体を回転させてレンズマウント２とカメラマウント５を係合させる。
【００１９】
さらに押圧手段３を像面側に送り、当接面３ａがカメラ４の被写体側面４ａに圧接した状態を図３に示す。
【００２０】
図３の図中下側を重力方向下側とし、カメラ４を不図示の台座に固定した場合、光学装置１とカメラ４の間には、マウント接触面から重心Ｇの間隔Ｌによる図中反時計回り方向のモーメントＭが働く。この時、モーメントＭはレンズマウント２と押圧手段３により支持されている。
【００２１】
以上説明した通り、本実施例における交換レンズは、光学装置の自重によるモーメントをレンズマウントだけでなく、レンズマウントより径の大きい押圧手段により支持することができる。
【００２２】
それにより、モーメントによるマウント接触面を中心とした光学装置の変位をレンズマウントだけで支持する場合に比べて軽減することが可能になる。
【００２３】
本実施例においては、押圧手段をカメラに向けて押圧する手段としてネジを構成した構造について述べたが、バネやカム等の手段によっても同様の効果が得られる。さらに、本実施例においては光学装置に押圧手段を設け、カメラに向けて押圧する構成について述べたが、カメラに押圧手段を設け、光学装置に向けて押圧する構成であっても同様の効果が得られる。
【００２４】
また、本実施例においては、カメラを台座に固定し、光学装置をマウントで支持する構成について述べたが、光学装置を台座に固定して、カメラをマウントで支持する構成であっても同様の効果が得られる。
【実施例２】
【００２５】
以下、図４から図６を参照して、本発明の第２の実施例による、光学装置について説明する。
【００２６】
本実施例における光学装置とカメラの代表的な構成を図４に示す。
【００２７】
光学装置１にはレンズマウント６が設けられる。レンズマウント６には係合爪６ａが複数設けられる。さらに光学装置１にはネジ１ａと螺合して光軸方向に移動可能な押圧手段８と、光学装置１に対して光軸方向と回転方向に自由度を持つ押圧手段８が設けられる。押圧手段８の像面側には当接面８ａと切り欠き８ｂが設けられる。
【００２８】
カメラ４にはカメラマウント９とマウントリング１０が設けられる。マウントリング１０はカメラマウント９に螺合し、回転することで光軸方向に移動し、係合爪６ａが同時に通過することが可能な切り欠き１０ａと、操作のためのレバー１０ｂが設けられる。
当接面８ａはレンズマウント６およびマウントリング１０の外側を覆うように形成され、カメラ４の被写体側面４ａと接触する位置関係になっている。
【００２９】
図５に、本実施例における光学装置１をカメラ４に取り付けた時の状態を示す。
【００３０】
係合爪６ａと切り欠き１０ａの位相を合わせてレンズマウント６をカメラマウント９に挿入した後、マウントリング１０を回転させてレンズマウント６をカメラマウント９に固定する。
【００３１】
さらに押圧手段７を像面側に送り、押圧手段８の当接面８ａがカメラ４の被写体側面４ａに圧接した状態を図６に示す。
【００３２】
この時レバー１０ａは切り欠き８ｂを通して押圧手段８に光軸方向に接触しない状態になっている。
【００３３】
図６の図中下側を重力方向下側とし、カメラ４を不図示の台座に固定した場合、光学装置１とカメラ４の間には、マウント接触面から重心Ｇの間隔Ｌによる図中反時計回り方向のモーメントＭが働く。この時、モーメントＭはマウントリング１０と押圧手段８を介して押圧手段７により支持されている。
【００３４】
以上説明した通り、本実施例における光学装置は、自重によるモーメントをレンズマウントだけでなく、レンズマウントより径の大きい押圧手段を介して押圧手段により支持することができる。
【００３５】
それにより、モーメントによるマウント接触面を中心とした光学装置の変位をレンズマウントだけで支持する場合に比べて軽減することが可能になる。
【００３６】
本実施例においては、押圧手段をカメラに向けて押圧する手段としてネジを構成した構造について述べたが、バネやカム等の手段によっても同様の効果が得られる。さらに、本実施例においては光学装置に押圧手段を設け、カメラに向けて押圧する構成について述べたが、カメラに押圧手段を設けて光学装置に向けて押圧する構成であっても同様の効果が得られる。
【００３７】
また、本実施例においては、カメラを台座に固定し、光学装置をマウントで支持する構成について述べたが、光学装置を台座に固定して、カメラをマウントで支持する構成であっても同様の効果が得られる。
【００３８】
さらに、押圧手段の切り欠きにレバーを通し、切り欠きによりレバーの移動範囲をマウントの着脱に必要な範囲より小さく制限することにより、固定時にレバーが不意に操作されることを防止することができる。
【００３９】
以上、本発明の好ましい実施形態について説明したが、本発明はこれらの実施形態に限定されず、その要旨の範囲内で種々の変形及び変更が可能である。
【符号の説明】
【００４０】
１  光学装置、２  レンズマウント、３  押圧手段、３ａ  当接面、
４  カメラ（撮像装置）
【図１】
2020118774.tif 000003
【図２】
2020118774.tif 000004
【図３】
2020118774.tif 000005
【図４】
2020118774.tif 000006
【図５】
2020118774.tif 000007
【図６】
2020118774.tif 000008